【事件の表示】
　上記当事者間の登録第４６０２６７７号商標の商標登録無効審判事件について、次のとおり審決する。
【結　論】
　登録第４６０２６７７号の登録を無効とする。
　審判費用は被請求人の負担とする。
【理　由】
第１　本件商標登録の無効の審判
１　本件商標
　本件登録第４６０２６７７号商標（以下「本件商標」という。）は、「アジアン」及び「ＡＳＩＡＮ」の文字を上下二段に横書きしてなり、平成１３年１０月１６日に登録出願、第３２類「清涼飲料，果実飲料」を指定商品として同１４年９月６日に設定登録されたものである。
２　本件商標登録の無効の審判
　本件商標登録の無効の審判は、本件商標が商標法３条１項３号及び同法４条１項１６号に違反して登録されたものであるとして、商標法４６条により本件商標の登録を無効にすることを請求するものである。
　
第２　請求人の主張
　請求人は、結論同旨の審決を求め、その理由を要旨次のように述べ、証拠方法として甲第１号証ないし同第１８号証（枝番を含む。）を提出した。
１　請求人は、食品及び飲料の製造販売をその主たる業務とし、本件商標の指定商品に係る商品を取り扱っており、被請求人とはいわば同業関係にある。
　さらに、請求人は、自己の取り扱いに係る商品の包装やラベルに当該商品の品質や産地等を表す文字を表示することが少なくなく、よって本件商標の存続に関しては十分な利害関係を有する。
２　本件商標を構成する「アジアン」及び「ＡＳＩＡＮ」の文字は、「アジアの」の意味合いを有する英単語と、日本語化されたその表音を表したものと認められる(甲第１号証)。
　そして、該文字は、具体的には「アジア産の」、「アジア風の」等の意味合いの外来語として日常的に使用され、かつ親しまれているものということができる。
　甲第２号証は、インターネット上で提供される代表的な検索サイト「Ｇｏｏｇｌｅ」を利用したページ検索の結果を示す先頭ページのプリント写しであって、具体的には、上記「アジアン」の文字に関し行った検索と(甲第２号証の１)、該文字に関し特に日本語化した用例と考えられる「アジアンな」の文字列に関し行った検索の結果を示したものである(甲第２号証の２)。
　これらの検索においては、「アジアン」の文字につき９万件超、「アジアンな」の文字列につき約６，３５０件という結果を得ており、これは上記意味合いにおける「アジアン」の文字が、「アジアンな」という助詞を伴う表現方法をもって使用される程に広く一般に親しまれているものであることを示している。
　なお、甲第２号証における検索は、本件無効審判請求の途に行ったものであるから、当該検索をした日ないしはページをプリントした日は本件商標の登録査定後であることを念のため申し加えるが、検索された個々のページにおける「アジアン」の文字又は「アジアンな」の文字列のいずれもが、当該登録査定後の記載に係るものとは考え難く、上記「アジアン」の文字は、本件商標の登録査定時には既に上記意味合いにおいて日本語化していたものと判断するのが経験的にも妥当である。
３　そして、とりわけ食品や飲料を取り扱う分野においては、「アジアン」の文字につき、上記「アジア産の」、「アジア風の」の意味合いをもって使用する例が少なくない。
　これは、台湾、香港、シンガポール、タイ、マレーシア、フィリピン、ベトナム、インド、スリランカ等々の、かつてあまり馴染みのなかったアジア地域諸国特有の食材、食品、料理、飲料等々が、ここ十数年来しばしば紹介され、又は飲食店において提供される等したことにより、広く一般に受け入れられるに至ったことにもよると考えられる。
　たとえば、甲第３号証は、２０００年(平成１２年)１０月２７日、株式会社サンケイリビング新聞社(東京都千代田区在)発行の情報誌「シティリビング」写しであって、商業ビル「ベルビー赤阪」の新装開店に関する記事ないしは広告記事であるところ、「Ｇｏｕｒｍｅｔ」と表された標題下には、当該ビル内のテナント飲食店を紹介する記載とともに「充実の和食から話題のアジアンまで」なる記載をみることができる。
　また、甲第４号証は、各種料理のレシピを公開するサイト「ＣＯＯＫＰＡＤ」(有限会社コインによる運営)であって、料理国籍(発祥地)や食材、用途等に基づく料理レシピの検索ページであるところ、料理国籍を示す欄において、「和風、洋風、中華、フレンチ、イタリアン」の記載と並ぶ「アジアン」の記載をみることができる。なお、このページの提供開始日付について確認することはできなかったものの、当該「アジアン」の文字は、上記「和風、洋風、中華、フレンチ、イタリアン」と同列にされたその記載からすれば、少なくとも本件登録査定時にはすでに、食品や飲料との関係において産地や発祥地を表示するものとして十分に理解されていたものと思料される。
４　甲第５号証ないし同第１４号証は、いずれもインターネット上で提供されるサイトのページをプリントしたもの又はその写しであって、アジア風ないしはアジア地域を発祥地とする飲料に関し、これを「アジアンドリンク」、「アジアンなドリンク」、「アジアンなソフトドリンク」、「アジアンジュース」等のように称している例を示すものである。
　甲第５号証は、いわゆるメールマガジンとして配信された情報が記録されたサイト「メルマ！／倉敷・岡山ぐるめ」であるところ、「倉敷ぐるめ」と称された２０００年８月３１日付の配信記事中、「中国レストラン　曲江春」による情報記載欄には、「東京で大ブームのアジアンドリンクが当店にもお目見えしました」と記載されている。
　甲第６号証は、飲食店に関する情報を配信するサイト「Ｄ−ＳＴＲＥＥＴ」であるところ、「池袋・目白周辺レストラン」として「ＺＯＺＯＩ」(豊島区西池袋在)なるカフェを紹介した２０００年１２月９日付の情報欄に、「アジアンドリンクがたくさんあります。」との記載をみることができる。
　甲第７号証は、生活情報等を配信するサイト「新潟ＫｏｍａｃｈｉＷｅｅｋ！」(株式会社ニューズ・ラインによる運営)であるところ、２００２年４月号の「ニューシヨプ情報」欄における飲食店「渡海屋(トカイヤ)」(新潟市古町通在)の紹介記事には、「アジアンダイニングとしてリニューアルオープン」、「素材や調理法にアジアンテイストを取り入れた創作料理」とあるほか、「チャイなどのアジアンドリンクも登場した。」と記載されている。
　また、甲第８号証ないし同第１４号証は、いずれも飲食店又はそのメニューの紹介に係るページであるところ、甲第８号証において「トロピカルドリンク各種￥６５０〜、アジアンドリンク各種￥５５０〜などドリンク充実」なる記載、甲第９号証において「また、ランチやディナーはもちろんデザートからアジアンドリンク、カプチーノまでホッとするカフェやバーメニューも充実」なる記載、甲第１０号証において「ベトナムコーヒーや、チャイ、ロータスティーなどのアジアンドリンクに加え、」なる記載、甲第１１号証において「アジアンなドリンクとデザートが、リーズナブルなプライスでいただけます。」なる記載、甲第１２号証において「アジアンなソフトドリンク達／マンゴージュース／グァバジュース」なる記載、甲第１３号証において「アジアンドリンクやビールも充実。」なる記載、甲第１４号証において「アジアンジュース４５０」なる記載等をみることができる。
　なお、甲第８号証ないし同第１４号証については、各ページの配信日付を確認することができないが、上記各「アジアン」の文字の用例にみられる表現方法からすると、該文字をある種飲料の形容に用いるようになったのが本件登録査定の日後であるとは考え難い。
５　ところで、上記各甲号証における「アジアンドリンク」、「アジアンなドリンク」、「アジアンジュース」等のような「アジアン」と称される飲料について、明確な定義はないと考えられる。
　しかしながら、アジア地域を発祥地とする特有の飲料があること、及び、当該飲料の中には、たとえばグアバ、マンゴー等の同地域特産の果物を使用したものやこれらの風味を付したものがあることにつき、上記各甲号証の記載から明らかであるとともに、当該アジア地域特有の飲料について、「アジアンドリンク」、「アジアンジュース」等のように「アジアン」と称することが少なくないこともかかる記載より明らかというべきである。
６　一方、本件指定商品中の商品には、上記のようなアジア地域特産の果物を使用したものが少なくない。
　そして、たとえば甲第１５号証の１ないし４として示すように、本件指定商品中の「果実飲料」については、アジア産果実をミックスしたとされる商品につき「ＡＳＩＡＮ／ＦＲＵＩＴＳ　ＭＩＸ」及び「アジアンフルーツミックス」の文字を使用した例をみることもできる。
　同号証は、日本生活協同組合連合会(以下、「生協」という。)開設のインターネット上のサイトにおけるページの一部であるところ、その１はその取り扱い商品紹介の先頭ページ「コープ商品のご紹介」を、その２はその取り扱いに係る果実飲料「アジアンフルーツミックス　１９５ｇ(紙缶)」を、それぞれ示すものである。
　同号証の２によれば、上記「アジアンフルーツミックス」の文字のほか、当該果実飲料の包装に「ＡＳＩＡＮ／ＦＲＵＩＴＳ　ＭＩＸ」の表示を確認することができるとともに、「アジア育ちのおいしい７つのフルーツを、さわやかにミックスしました。」,「アジア産の７種の果実ミックス」等のキャッチフレーズからは、当該商品がアジア産の果実をミックスしたものであって、これをいわばセールスポイントとしているものと認めることができる。
　すなわち、当該商品における「アジアン」又は「ＡＳＩＡＮ」の文字は、これに接する需要者、取引者等に、アジア産の果実を原材料としたものであることの表示として理解されるものといわざるを得ない。
　さらに、この果実飲料の発売時期については、同号証の３及び４により、平成１４年５月以前であるものと認められる。
　同号証の３は、上記生協による商品宅配用の頒布カタログ「ＹＵＭＹＵＭ！！」について、「５月４回」と号付けされたものを紹介したページであるところ、これにはその「新商品・お買い得情報」欄において、上記果実飲料「アジアンフルーツミックス(カートカン)」(１９５ｇ×１５)の記載をみることができる。そして、当該「５月４回」の号については、同号証の４として示すそのバックナンバー一覧により、２００２年５月における４回目の頒布号であることを確認することができる。
　なお、同号証の４のページをプリントした２００３年５月１日時点における当年の最新号は「５月３回」であって、このことからも、同号証の３に示すカタログ「５月４回」の号の頒布年は、２００２年以前であると認めることができる。
７　また、アジア地域産の茶葉を使用した茶について、たとえば甲第１６号証として示す書籍に「アジアンティーの世界」なる題号が付されている例をはじめ、これを「アジアンティー」と称することが少なくない。
　そして、本件指定商品中の商品である「茶の風味の清涼飲料」については、アジア地域産の茶葉を使用した茶の風味の清涼飲料というべき商品につき、「アジアンティー」の文字が普通に使用されている例をみることもできる。
　甲第１７号証は、株式会社ポッカコーポレーション(愛知県名古屋市在)開設のインターネット上のサイトにおける製品発売記事であるところ、これによると、同社とネスレ日本株式会社(兵庫県神戸市在)が、アジア地域産の茶の風味の清涼飲料「アジアンティー」につき平成１２年３月１日に販売を開始したことを確認することができる。
　また、この「茶の風味の清涼飲料」に関しては、甲第１８号証として示す２０００年(平成１２年)３月２４日付情報誌「シティリビング」にも紹介記事をみることができる。
　なお、当該「アジアンティー」の文字は、その全体をもって「アジア地域産の茶葉を使用した茶」の意味合いを理解させるものではあるものの、該文字中の「アジアン」の文字部分が、「アジア風の」、「アジア産の」の意を表したものであって、かつそのように理解されるものであることについては疑う余地がない。
８　そうすると、本件商標を構成する「アジアン」及び「ＡＳＩＡＮ」の文字は、その指定商品「清涼飲料、果実飲料」との関係において、当該商品が、アジア地域発祥の清涼飲料や果実飲料であること、ないしはアジア地域産の果実を加味したものやこれを原材料としたものであること、又はアジア地域産の茶葉を使用したものであること等を理解させるに過ぎないものと認められる
９　したがって、本件商標はこれをその指定商品中、たとえば「アジア地域発祥の清涼飲料又は果実飲料」、「アジア地域産の果実を加味してなる清涼飲料」、「アジア地域産の茶の風味の清涼飲料」、「アジア地域産の果実を原材料とする果実飲料」等に使用するときは、これに接する者に当該商品の品質ないしは原材料を認識させるにとどまるから、商標法３条１項３号の規定に該当する。
　他方、本件商標は、これを上記のような商品以外の商品に使用するときは、これに接する者に、当該商品があたかも上記のような商品であるかのように品質の誤認を生じさせるおそれがあるから、同法４条１項１６号の規定に該当する。
１０　以上のとおり、本件商標は商標法１５条１項の規定に違反して登録されたものと認められるので、同法４６条１項１号の規定によりその登録は無効にされるべきものである。
　
第３　被請求人の答弁
　被請求人は、本件審判請求に対し何ら答弁していない。
　
第４　当審の判断
１　請求人の提出に係る各甲号証によれば、以下の事実が認められる。
（１）本件商標を構成する「ＡＳＩＡＮ」の文字は「アジアの」を意味する英語であり、同じく「アジアン」の文字は日本語化されたその表音を表したものと認識されること（甲第１号証）。
（２）インターネットの検索結果によれば、「アジアン」の文字については９万件以上、「アジアンな」の文字については６千件以上がそれぞれヒットしていること（甲２号証）。
（３）飲食店又はそのメニューの紹介記事等において、「アジアン」が料理国籍（発祥地）としての和食、洋食、中華、フレンチ等と同列に扱われていること（甲第３及び第４号証）。
（４）同様に、本件商標の登録査定前の記述と推認されるものに限定しても、「東京で大ブームのアジアンドリンクが当店にもお目見えしました」（甲第５号証）、「アジアンドリンクがたくさんあります。マサラティー、ベトナムコーヒー、アラビアンミントティー、ジンジャーミルク、抹茶ドリンクなどなど。」（甲第６号証）、「９０種以上のカクテルに加えて、チャイなどのアジアンドリンクも登場した。」（甲第７号証）、「現地から直接仕入れた豆を使ったベトナムコーヒーや、チャイ、ロータスティーなどのアジアンドリンクに加え、・・・・」（甲第１０号証）、「アジアンフルーツミックス　195ｇ＜紙缶＞　アジア育ちのおいしい７つのフルーツを、さわやかにミックスしました。りんご、パイン、ライチ、グァバ、ピーチ、いちご、うめの７種のアジア産果実をバランスよくミックスした、１００％天然果汁ジュースです。」（甲第１５号証の２）、「『ネスティー　アジアンティー』は、・・・若者の間で人気の『アジアンテイスト』をキーワードに開発された新ブレンド茶です。台湾産の赤烏龍茶をベースに、桂花茶、鉄観音茶、キーモン紅茶、ジャスミン茶、ハイビスカスなどアジアの厳選した１０種類の素材を絶妙にブレンドし、・・・」（甲第１７号証）の如く表現されているほか、「アジアンティーの世界」と題する単行本が発行され（甲第１６号証）、また「アジアンティー」について新聞広告されていること（甲第１８号証）。その他、記述の時期は不明確ながら、「アジアンなドリンクとデザートが、・・・」（甲第１１号証）、「アジアンなソフトドリンク達」（甲第１２号証）、「手作りアジアン料理でお腹の中ほっかほか！　ASIAN FOODS  DRINKS・・・アジアンドリンクやビールも充実。」（甲第１３号証）、「アジアンジュース450」（甲第１４号証）といった記述もなされていること。
２　以上の事実からすると、本件商標の登録査定時には既に、食品や飲料を取り扱う分野においては、「アジアン」及び「ＡＳＩＡＮ」の文字は、「アジア産の、アジア風の」の意味合いで、「アジアン○○」のように他の文字「○○」に付加して一般に使用され、親しまれていたものというのが相当である。そして、本件商標の指定商品には、アジア産ないしはアジア地域発祥の商品又はアジア産の果実等を原材料とする商品が含まれていることは明らかである。
　そうすると、本件商標は、上記のとおり、「アジアン」及び「ＡＳＩＡＮ」の文字を普通に用いられる方法で書してなるものであるから、これをその指定商品中「アジア産ないしはアジア地域発祥の商品又はアジア産の果実等を原材料とする商品」に使用しても、これに接する取引者、需要者が商品の品質、原材料を表示したものと認識するに止まり、自他商品の識別標識としての機能を果たし得ないものであり、また、上記商品以外の商品に使用するときは、商品の品質の誤認を生ずるおそれがあるものといわなければならない。
　したがって、本件商標は、商標法３条１項３号及び同法４条１項１６号の規定に違反して登録されてものであるから、同法４６条１項の規定に基づき、その登録を無効にすべきである。
　よって、結論のとおり審決する。